(57)【要約】【課題】見えの性能を落とさず、かつ、清掃作業性が高い接眼ユニット構造を実現する。【解決手段】接眼ユニットの光学系清掃窓の保護部材に接眼ユニットのレンズユニットの光軸方向への動きを視度調整範囲に限定するような規制部を設ける。作業者が接眼ユニットの光学系を清掃するために保護部材を取り外すと、レンズユニットが視度調整範囲を超えて表示部から離れる方向に移動することが出来るようになり、光学系の清掃作業の作業性が向上する。【選択図】図４ｃ
2015138063.tif 000002
【特許請求の範囲】
【請求項１】
撮像装置に電気的に接続される接眼ユニットであって、
前記撮像装置で撮像されている画を表示する表示部と、
前記表示部に表示された画を変倍させるためのレンズユニットと、
視度調整のための操作部と、
前記操作部の操作によって前記レンズユニットの光軸方向位置を変化させるための機構と
着脱可能に設けられた清掃窓部と、
前記清掃窓部を保護する保護カバー部材とを有する
接眼ユニットにおいて、
前記保護カバー部材は前記レンズユニットの光軸方向への移動を制限する規制部を有する
かつ、
前記掃除窓部を取り外すことで、前記レンズユニットは光視度調整可能範囲を超えて光軸方向に移動可能となる
ことを特徴とする接眼ユニット。
【請求項２】
前記掃除窓部を取り外されて前記レンズユニットが視度調整可能範囲を超えて移動可能となる方向は、前記表示部と前記レンズユニットの光軸方向距離を大きくする方向である
ことを特徴とする請求項１に記載の接眼ユニット。
【請求項３】
前記掃除窓部は光軸方向において前記表示部と前記レンズユニットを両方清掃可能になるように位置に存在することを特徴とする請求項１又は請求項２に記載の接眼ユニット。
【発明の詳細な説明】
【技術分野】
【０００１】
本発明は、作業者が自らの視度に応じてレンズユニットの光軸方向位置を調整可能な構造を有する接眼ユニットに関するものである。
【背景技術】
【０００２】
撮像装置と電気的に接続され、撮像装置が撮像する画像を内蔵された表示部に表示しレンズユニットで画像を変倍して作業者に視認させる接眼ユニットが存在する。一般的に、接眼ユニットは作業者が自らの視度に応じてレンズユニットの光軸方向位置を調整可能な構造を有する。
【０００３】
接眼ユニットは表示部に表示された画像をレンズユニットで変倍するため、表示部に存在する汚れ・ゴミが変倍されて作業者に認識されてしまうことがある。
【０００４】
そのため、接眼ユニットの表示部やレンズユニットを清掃可能な構造を設けることがある（特許文献１参照）。
【０００５】
図６は、上記で説明した清掃可能な構造を設けた接眼ユニットの構造である。
【０００６】
図６に紹介されている接眼ユニットの清掃構造では、図６（ａ）に示す状態から図６（ｂ）に示す状態になるように表示部６３が清掃可能な位置まで回動する。
【０００７】
図６（ｂ）に示されている表示部６３が回動した状態で、作業者が適切な清掃具を用いて表示部６３の表示面を清掃することが出来、接眼ユニットを良好な状態で利用できるようになる。
【先行技術文献】
【特許文献】
【０００８】
【特許文献１】特開2011-33670号公報
【発明の概要】
【発明が解決しようとする課題】
【０００９】
図６ａ、図６ｂに示すように表示部を回動可能な構造とした場合、表示部を動かさない場合と比較して、回動構造自身の製造によるばらつき、回動構造に表示部を取り付ける際のばらつき、接眼ユニットへ回動構造を取り付ける際のばらつき、によって接眼ユニットの平行偏芯と傾き偏芯、いわゆる光学偏芯の量が大きくなる。
【００１０】
光学偏芯量が大きくなると、同一視度内で視度差が発生する、表示部の表示が蹴られやすくなる、という現象が発生し接眼ユニットが見づらくなる。
【００１１】
そのため、清掃構造を設ける場合には接眼ユニットの光学系つまり表示パネル及びレンズユニットの光学偏芯量を大きくしない構造が望ましい。
【００１２】
光学偏芯量を大きくしないような接眼ユニットの清掃構造として、視度調整可能な範囲でレンズユニットが光軸方向に移動することを利用して外装部に設けた穴部から直接表示パネル及びレンズを清掃するような構造が存在する。
【００１３】
上記の構造だと表示パネルが固定されており光学偏芯による接眼ユニットの見えへの影響に関しては、図６ａ、図６ｂに示した構造よりも有利である。
【００１４】
しかし、レンズが視度調整範囲で光軸に移動するその範囲を利用して清掃作業のスペースを確保しておりレンズの移動量が小さいため、清掃作業のスペースは限られており清掃作業の作業性が低いという問題が存在した。
【課題を解決するための手段】
【００１５】
本発明の接眼ユニット清掃構造の第１の特徴は、
接眼ユニットの外装部に、接眼ユニット清掃窓部を設け、該窓部を封止する保護カバー部材を作業者が着脱可能に設ける。
【００１６】
該保護カバー部材は接眼ユニットの光軸方向への移動を視度調整範囲に規制するような規制部を有し、規制部によって接眼ユニットの光軸方向への移動は視度調整範囲内に規制されることである。
【００１７】
また、本発明の第２の特徴は、
作業者が該保護カバー部材を取り外すことで、レンズユニットを表示パネルから視度調整可能な範囲を超えて遠い位置に移動させることが出来るようになり、清掃作業性を向上させることが可能になる。
【発明の効果】
【００１８】
以上説明したように、本発明によって清掃作業性も高い接眼ユニットを提供できる。
【図面の簡単な説明】
【００１９】
【図１ａ】本発明が実施された接眼ユニットの斜視図
【図１ｂ】本発明が実施された接眼ユニットの斜視図
【図１ｃ】本発明が実施された接眼ユニットの断面図
【図２ａ】本発明が実施された接眼ユニットの光学機能部斜視図
【図２ｂ】本発明が実施された接眼ユニットの光学機能部の分解斜視図
【図２ｃ】本発明が実施された接眼ユニットの光学機能部断面図
【図３ａ】本発明が実施された接眼ユニットにおいて、レンズが表示部に最も接近する際の側面図及び断面図
【図３ｂ】本発明が実施された接眼ユニットにおいて、保護カバーを接眼ユニットに装着した状態でレンズが表示部から最も離れた際の側面図及び断面図
【図３ｃ】本発明が実施された接眼ユニットにおいて、保護カバーを接眼ユニットから取り外した状態でレンズが表示部から最も離れた際の側面図及び断面図
【図４ａ】本発明が実施された接眼ユニットにおいて、レンズが表示部に最も接近する際のＣ−Ｃ’断面図
【図４ｂ】本発明が実施された接眼ユニットにおいて、保護カバーを接眼ユニットに装着した状態でレンズが表示部から最も離れた際のＣ−Ｃ’断面図
【図４ｃ】本発明が実施された接眼ユニットにおいて、保護カバーを接眼ユニットから取り外した状態でレンズが表示部から最も離れた際のＣ−Ｃ’断面図
【図５】本発明が実施された接眼ユニットに装着される清掃用開口部の保護カバー斜視図
【図６】先行件
【発明を実施するための形態】
【００２０】
図１ａは本発明の実施形態における接眼ユニット１の外観斜視図、図１ｂは接眼ユニット１を倒置して底面側が上になるようにした際の外観斜視図である。
【００２１】
本発明における接眼ユニット１の外観部には、作業者が操作し視度を調整する視度調整操作部１１、作業者が表示パネルを観察するための接眼部１２、筺体１３、前記接眼ユニット１と図示されていない撮像装置本体を電気的に接続するコネクタ付き接続ケーブル１４が存在する。
【００２２】
また、図１ａおよび図１ｂに図示されていない表示パネル３及びレンズユニット２２を清掃するための開口部が設けられており、前記開口部を封止するように保護カバー１５が存在する。
【００２３】
次に図１ｃを用いて接眼ユニット１の機能について説明する。図１ｃは接眼ユニット１の断面図である。但し、本接眼ユニット１の機能に関係ない部分を一部省略して図示している。
【００２４】
接眼ユニット１は前記接続ケーブル１４を介して撮像装置本体から撮影中の画像を受け取り、図示されていない基板を経由して画像を表示部３に表示する。そして、前記表示部３に表示された画像をレンズユニット２２で拡大して作業者に認識させる。
【００２５】
前記レンズユニット２２はレンズガイド２１と摺動可能に勘合しており、レンズガイド２１は図示されていない締結部を有し前記筺体１３とビスで締結されている。
【００２６】
また、図１ｃに示すように前記筺体１３には表示部３と前記表示部３に最も近いレンズを清掃可能に設けられた開口部１３１が存在し、前記保護カバー１５は前述のとおり前記開口部１３１を封止している。また、前記筺体１３に設けられた締結部１３２に図示されていないビスで締結されている。前記保護カバー１５には凸部１５１が設けられており、レンズガイド２１に挿通されている。
【００２７】
図２ａは本発明の実施形態における光学機能部２の斜視図、図２ｂは光学機能部２の分解図、図２ｃは図２ａにおいて光学機能部２を直線Ｂ−Ｂ’で切断した時の断面図である。また、直線Ｂ−Ｂ’はレンズユニット２２の光軸中心を通り水平な直線である。
【００２８】
図２ａ〜ｃを用いて光学機能部２の構成について説明する。図２ａ〜ｃに示すように、光学機能部２はレンズガイド２１、レンズユニット２２、視度調整操作部１１、レンズガイド２１に設けられた溝部２１３に挿通されて視度調整操作部１１の図示されていないネジ部に締結される規制ピン２３、レンズガイド２１に設けられた溝部２１１及び視度調整操作部１１に設けられたカム溝１１１に挿通されてレンズユニット２２の図示されていないネジ部に締結されるカムピン２４、レンズガイド２１に設けられた溝部２１２及び視度調整操作部１１に設けられたカム溝１１２に挿通されてレンズユニット２２の図示されていないネジ部に締結されるカムピン２５、及び、レンズガイド２１と視度調整操作部１１の間に設置されて視度調整操作部１１を片寄せすると共に回転トルクを発生させる波ワッシャー２６、とで構成される。
【００２９】
視度調整操作部１１に設けられたカム溝１１１、１１２は作業者が視度調整操作部１１を回転操作して起こる視度調整リング１１の回転動作をカムピン２４、２５を介してレンズユニット２２の直進運動に変換する機能を有する。
【００３０】
本実施例ではカム溝は２つであるが、本発明はカム溝の数が２つの場合に限定されるものではない。
【００３１】
レンズガイド２１の前記溝部２１１，２１２は直進用の溝であり、前記溝部２１１、２１２は視度調整操作部１１を回転操作した際にレンズユニット２２が直進運動のみを行い回転することが無いように規制する機能を有する。
【００３２】
視度調整操作部１１と同様に本実施例では溝部は２つであるが本発明はカム溝の数が２つの場合に限定されるものではない。
【００３３】
また、溝部２１３は視度調整操作部１１の位置及び回転量を規制する機能を有する。つまり溝部２１３によってレンズユニット２２の直進移動量が規制されることになる。
【００３４】
図３ａ〜ｃはそれぞれ接眼ユニット１のレンズユニット２２の移動の様子が分かりやすくなるように前記筺体１３の一部の外装を省略した側面図及び図１ａに示したＡ−Ａ’断面図を並べて表示した図である。
【００３５】
本発明の接眼ユニット１は視度調整操作部１１を作業者が操作することで図３ａの状態から図３ｃの状態までレンズユニット２２を移動させることができる。
【００３６】
図３ａはレンズユニット２２が撮像装置が撮影している画像を表示する表示部３に最接近した状態、図３ｂは保護カバー１５を接眼ユニット１に装着した状態でレンズユニット２２が前記表示部３から最も離れた状態、図３ｃは保護カバー部１５を外した状態でレンズユニット２２が前記表示部３から最も離れた状態を示す。
【００３７】
図４ａ〜ｃはそれぞれ図３ａ〜ｃの状態での接眼ユニット１の断面Ｃ−Ｃ′の断面図であり、図４ａ〜ｃによって前記規制ピン２３が前記溝部２１３のどの位置に存在するかを示している。
【００３８】
図３ａ〜ｃ及び図４ａ〜ｃではそれぞれの状態における光学機能部２の様子がわかりやすくなるように接眼ユニット１の筺体１３の一部を省略して図示してある。
【００３９】
図５は接眼ユニット１の保護カバー１５の斜視図である。図５に示すように保護カバー１５は凸部１５１を有し図３ａ、ｂおよび図４ａ，ｂに示すように前記レンズガイド２１の前記溝部２１３に挿通されると共に前記規制ピン２３の移動範囲を規制し、作業者が視度調整操作部１１を操作できる範囲を限定する。また、前記締結部１３２に締結されて保護カバー１５を固定するビスが挿通される貫通穴１５２および図示されていないもう一つの締結部に締結されて保護カバー１５を固定するビスが挿通される貫通穴１５１を有する。
【００４０】
本実施例においては，既に説明した通り前記凸部１５１は前記規制ピン２３の回転角を９０度に規制するように前記溝部２１３に挿通されるが、本発明は効果が成立する限りにおいて他の回転角を設定した場合でも問題なく適用できる。
【００４１】
図３ａにおいてＬ１は前記表示部３と前記レンズユニット２２の間の距離である。図３ａの状態では図に示すように前記表示部３と前記レンズユニット２２が接近しておりＬ１が小さい値のため、保護カバー１５を外して清掃作業を実施できない。
【００４２】
図３ａに示す状態から図３ｂに示す状態に移動すると、前記表示部３と前記レンズユニット２２の距離はＬ２まで大きくなる。つまりＬ２＞Ｌ１である。但し、図３ａと図３ｂのレンズユニット２２の移動量は接眼ユニット１の視度調整可能範囲内であり大体数mmであることが多い。
【００４３】
そのため、この状態で保護カバー１５を外して清掃作業を行おうとすると、汎用のブロワーでは、例えばブロワーの先端の径が大きく清掃作業に支障をきたす、ということが発生する。つまり視度調整可能範囲でレンズを動かすだけでは充分な清掃作業性を確保できない。
【００４４】
ところで、図４ｂに示すように図３ｂの状態では前記規制ピン２３は前記凸部１５１に接触しこれ以上回転して前記レンズユニット２２が前記表示部３から離れないように規制されている。
【００４５】
図３ｂに示す状態から前記保護カバー１５を取り外すと図４ｂに示した状態から更に視度調整操作部１１を回転させ、前記レンズユニット２２を前記表示部３から離すことが出来るようになり図３ｃおよび図４ｃに示す状態まで前記レンズユニット２２を前記表示部３から離れる方向に移動させることが出来るようになる。
【００４６】
これにより図３ｃに示すように前記レンズユニット２２と前記表示部３の間の距離がＬ３となり、図３ｂに示す状態よりも清掃作業性を高くすることが可能となる。
【００４７】
以上、本実施例ではカム溝を用いた視度調整機構を用いて説明を行ったが、本発明の効果を維持する限りにおいてそれ以外の視度調整機構を用いても本発明は適用可能である。
【符号の説明】
【００４８】
１．接眼ユニット
１１．視度調整操作部
１１１、１１２．カム溝
１２．アイカップ
１３．接眼ユニット筺体
【図１ａ】
2015138063.tif 000003
【図１ｂ】
2015138063.tif 000004
【図１ｃ】
2015138063.tif 000005
【図２ａ】
2015138063.tif 000006
【図２ｂ】
2015138063.tif 000007
【図２ｃ】
2015138063.tif 000008
【図３ａ】
2015138063.tif 000009
【図３ｂ】
2015138063.tif 000010
【図３ｃ】
2015138063.tif 000011
【図４ａ】
2015138063.tif 000012
【図４ｂ】
2015138063.tif 000013
【図４ｃ】
2015138063.tif 000014
【図５】
2015138063.tif 000015
【図６】
2015138063.tif 000016